(57)【要約】【課題】インデックス画像に代表されるシーン位置への頭出し動作を迅速に行うことができる動画像再生システムを提供する。【解決手段】デジタルビデオカメラ１０は、動画像とともに磁気テープに記録された高速サーチ専用画像を用いて動画像の内容を一覧可能なインデックス画像を生成する。この際、インデックス画像に対応する動画像の記録位置を表す付加情報を生成する。プリンタ５０は、このインデックス画像をシートに印刷するとともに、この印刷用紙６１に内蔵されているＩＣタグ６５に付加情報を記録する。インデックス画像で示されるシーンを再生する際、ＩＣタグ６５に記録された付加情報を基に、磁気テープの頭だし動作を行う。【選択図】図１
2007129348.tif 000002
【特許請求の範囲】
【請求項１】
動画像とともに記録媒体に記録されたサーチ画像を用いてインデックス画像を生成し、前記生成されたインデックス画像で示されるシーンを再生する動画像再生システムであって、
前記インデックス画像に対応する付加情報を生成する付加情報生成手段と、
前記インデックス画像を被印刷物に印刷する印刷手段と、
前記インデックス画像が印刷された被印刷物に前記付加情報を記録する記録手段と、
前記被印刷物に記録された付加情報を読み取る読取手段と、
前記読み取られた付加情報を基に、前記記録媒体に対して所定のアクセスを行うアクセス手段とを備えたことを特徴とする動画像再生システム。
【請求項２】
前記被印刷物には、前記付加情報が記録される記憶媒体が設けられたことを特徴とする請求項１記載の動画像再生システム。
【請求項３】
前記記憶媒体は、前記被印刷物に装着されたＩＣタグであることを特徴とする請求項２記載の動画像再生システム。
【請求項４】
前記付加情報生成手段は、前記付加情報として、前記インデックス画像に対応する前記記録媒体上の位置情報を生成することを特徴とする請求項１記載の動画像再生システム。
【請求項５】
前記記録媒体上の位置情報には、タイムコードが含まれることを特徴とする請求項４記載の動画像再生システム。
【請求項６】
前記付加情報生成手段は、前記生成される付加情報に、前記インデックス画像の取り込み番号を含めることを特徴とする請求項１、４または５記載の動画像再生システム。
【請求項７】
前記アクセス手段は、前記インデックス画像で示されるシーンの頭だし動作を行うことを特徴とする請求項１記載の動画像再生システム。
【請求項８】
前記アクセス手段は、前記頭だし動作を行った後、再生動作を行うことを特徴とする請求項７記載の動画像再生システム。
【請求項９】
前記読み取られた付加情報を基に、前記インデックス画像に対応するシーンの再生位置を複数表示する表示手段と、
前記表示された所定のシーンの再生位置を選択する選択手段とを備え、
前記アクセス手段は、前記選択された再生位置で示されるシーンの頭だし動作を行うことを特徴とする請求項７または８記載の動画像再生システム。
【請求項１０】
前記生成された付加情報および前記インデックス画像を送信する送信手段と、
前記付加情報および前記インデックス画像を受信する受信手段とを備え、
前記記録手段は、前記インデックス画像が印刷された被印刷物に前記受信した付加情報をコード化して記録することを特徴とする請求項１記載の動画像再生システム。
【請求項１１】
前記読取手段による付加情報の読み取りに失敗した場合、前記アクセス手段は前記所定のアクセスを行わないことを特徴とする請求項１記載の動画像再生システム。
【請求項１２】
前記付加情報生成手段は、前記生成される付加情報に、付加情報であることを示す識別情報を含めることを特徴とする請求項１記載の動画像再生システム。
【請求項１３】
前記記録媒体は磁気テープであることを特徴とする請求項１乃至１２のいずれかに記載の動画像再生システム。
【請求項１４】
前記記録媒体上の位置情報には、前記記録媒体としての磁気テープから取り込まれる前記サーチ画像のテープ位置であるアブソリュートトラックナンバが含まれることを特徴とする請求項４記載の動画像再生システム。
【請求項１５】
前記付加情報生成手段は、前記生成される付加情報に、前記磁気テープの識別情報を含めることを特徴とする請求項１３記載の動画像再生システム。
【請求項１６】
動画像とともに記録媒体に記録されたサーチ画像を用いてインデックス画像を生成するインデックス画像生成装置であって、
前記インデックス画像に対応する付加情報を生成する付加情報生成手段と、
前記生成された付加情報を前記インデックス画像とともに出力する出力手段とを備えたことを特徴とするインデックス画像生成装置。
【請求項１７】
動画像とともに記録媒体に記録されたサーチ画像を用いて生成されたインデックス画像を被印刷物に印刷する印刷装置であって、
前記インデックス画像および該インデックス画像に対応する付加情報を入力する入力手段と、
前記入力したインデックス画像を前記被印刷物に印刷する印刷手段と、
前記インデックス画像が印刷された被印刷物に前記入力した付加情報を記録する記録手段とを備えたことを特徴とする印刷装置。
【請求項１８】
動画像とともに記録媒体に記録されたサーチ画像を用いて生成されたインデックス画像で示されるシーンを再生する再生装置であって、
前記インデックス画像が印刷された被印刷物に記録された付加情報を読み取る読取手段と、
前記読み取られた付加情報を基に、前記記録媒体に対して所定のアクセスを行うアクセス手段とを備えたことを特徴とする再生装置。
【請求項１９】
動画像とともに記録媒体に記録されたサーチ画像を用いてインデックス画像を生成し、前記生成されたインデックス画像で示されるシーンを再生する動画像再生方法であって、
前記インデックス画像に対応する付加情報を生成するステップと、
前記インデックス画像を被印刷物に印刷するステップと、
前記インデックス画像が印刷された被印刷物に前記付加情報を記録するステップと、
前記被印刷物に記録された付加情報を読み取るステップと、
前記読み取られた付加情報を基に、前記記録媒体に対して所定のアクセスを行うステップとを有することを特徴とする動画像再生方法。
【請求項２０】
請求項１乃至１５のいずれかに記載の動画像再生システムを実現するためのコンピュータ読み取り可能なプログラムコードを有するプログラム。
【請求項２１】
請求項２０に記載のプログラムを格納した記憶媒体。
【発明の詳細な説明】
【技術分野】
【０００１】
本発明は、動画像とともに記録媒体に記録されたサーチ画像を用いてインデックス画像を生成し、このインデックス画像で示されるシーンを再生する動画像再生システムおよび動画像再生方法に関する。
【背景技術】
【０００２】
近年、ＭＰＥＧ（Moving Picture Experts Group）方式等の高度な圧縮方式を用いて、画像および音声のデータを記録・再生することが可能になってきている。代表的なものとして、ハイビジョン記録可能なデジタルビデオカメラが挙げられる。
【０００３】
特に、磁気テープにＭＰＥＧ方式を用いた高画質記録を行うデジタルＶＴＲ（Video Tape Recorder）では、通常再生以外の変速再生（サーチ再生）を行うために、通常再生用とは別の領域にサーチ再生専用のデータを記録する方式が既に提案されている（特許文献１、２参照）。この方式では、通常速度の８倍もしくは２４倍の高速サーチでサーチ専用データを読み出し表示可能である。
【０００４】
８倍速再生用のサーチ画像データでは、１５フレームからなる１ＧＯＰ（Group Of Picture）に対し、１枚の画像を、テープ上の１５０トラック（１５フレーム分のテープ長）に亘って分散的に記録する。ここで、１５フレームからなる１ＧＯPは、Iピクチャ、PピクチャおよびBピクチャで構成される。一方、２４倍速再生用のサーチ画像データでは、４ＧＯＰに対し、１枚の画像を、テープ上の６００トラック（６０フレーム、つまり４ＧＯＰ分のテープ長）に亘って分散的に記録する。
【０００５】
これらのサーチ画像データは、８倍もしくは２４倍の速度でテープを搬送する場合、テープからデータを読み込むための磁気ヘッドがトレースする軌跡に沿った位置に記録される。
【０００６】
図１１はサーチ画像データのトラック上の配置を示す図である。８倍速では、１６トラック毎に１組のデータが書き込まれている。正／逆８倍の速度でテープを搬送した場合、磁気ヘッドがトラックパターンをトレースする軌跡（傾き）に沿った位置に、データ記録領域１０１が設けられている。従って、８倍速モードでも、全てのサーチ画像データを読み出すことが可能である。
【０００７】
このサーチ画像は、テープの内容を要約しているので、記録されているサーチ画像のみ取り出すことで、テープのダイジェスト版を作成することも可能である。
【特許文献１】特開２００２−２０９１７９号公報
【特許文献２】特開２００２−３１４９４１号公報
【発明の開示】
【発明が解決しようとする課題】
【０００８】
しかしながら、上記従来例では、サーチ画像を用いることで、テープに記録されているデータを高速再生することが可能であるにもかかわらず、サーチ画像データが十分に活用されていなかった。
【０００９】
そこで、本発明は、サーチ画像を用いて、インデックス画像に代表されるシーン位置への頭出し動作を迅速に行うことができる動画像再生システムおよび動画像再生方法を提供することを目的とする。
【課題を解決するための手段】
【００１０】
上記目的を達成するために、本発明の動画像再生システムは、動画像とともに記録媒体に記録されたサーチ画像を用いてインデックス画像を生成し、前記生成されたインデックス画像で示されるシーンを再生する動画像再生システムであって、前記インデックス画像に対応する付加情報を生成する付加情報生成手段と、前記インデックス画像を被印刷物に印刷する印刷手段と、前記インデックス画像が印刷された被印刷物に前記付加情報を記録する記録手段と、前記被印刷物に記録された付加情報を読み取る読取手段と、前記読み取られた付加情報を基に、前記記録媒体に対して所定のアクセスを行うアクセス手段とを備えたことを特徴とする。
【００１１】
本発明のインデックス画像生成装置は、、動画像とともに記録媒体に記録されたサーチ画像を用いてインデックス画像を生成するインデックス画像生成装置であって、前記インデックス画像に対応する付加情報を生成する付加情報生成手段と、前記生成された付加情報を前記インデックス画像とともに出力する出力手段とを備えたことを特徴とする。
【００１２】
本発明の印刷装置は、動画像とともに記録媒体に記録されたサーチ画像を用いて生成されたインデックス画像を被印刷物に印刷する印刷装置であって、前記インデックス画像および該インデックス画像に対応する付加情報を入力する入力手段と、前記入力したインデックス画像を前記被印刷物に印刷する印刷手段と、前記インデックス画像が印刷された被印刷物に前記入力した付加情報を記録する記録手段とを備えたことを特徴とする。
【００１３】
本発明の再生装置は、、動画像とともに記録媒体に記録されたサーチ画像を用いて生成されたインデックス画像で示されるシーンを再生する再生装置であって、前記インデックス画像が印刷された被印刷物に記録された付加情報を読み取る読取手段と、前記読み取られた付加情報を基に、前記記録媒体に対して所定のアクセスを行うアクセス手段とを備えたことを特徴とする。
【００１４】
本発明の動画像再生方法は、動画像とともに記録媒体に記録されたサーチ画像を用いてインデックス画像を生成し、前記生成されたインデックス画像で示されるシーンを再生する動画像再生方法であって、前記インデックス画像に対応する付加情報を生成するステップと、前記インデックス画像を被印刷物に印刷するステップと、前記インデックス画像が印刷された被印刷物に前記付加情報を記録するステップと、前記被印刷物に記録された付加情報を読み取るステップと、前記読み取られた付加情報を基に、前記記録媒体に対して所定のアクセスを行うステップとを有することを特徴とする。
【発明の効果】
【００１５】
本発明の請求項１に係る動画像再生システムでは、動画像とともに記録媒体に記録されたサーチ画像を用いてインデックス画像を生成する際、インデックス画像に対応する付加情報を生成する。さらに、このインデックス画像を被印刷物に印刷するとともに、この被印刷物に付加情報を記録する。また、インデックス画像で示されるシーンを再生する際、被印刷物に記録された付加情報を読み取り、読み取られた付加情報を基に、記録媒体に対して所定のアクセスを行う。これにより、サーチ画像を用いて、インデックス画像に代表されるシーン位置への頭出し動作を迅速に行うことができる。
【００１６】
請求項３に係る動画像再生システムによれば、付加情報を記憶させる手段として、ＩＣタグを用いることで、読み取り機器の簡略化や情報の読み取りの確実性を向上させることができる。請求項９に係る動画像再生システムによれば、ユーザはインデックス画像を見ながら所望のシーンを選択することができ、ユーザ操作性を高めることができる。
【発明を実施するための最良の形態】
【００１７】
本発明の動画像再生システムおよび動画像再生方法の実施の形態について図面を参照しながら説明する。本実施形態の動画像再生システムはデジタルビデオカメラおよびプリンタから構成される。
【００１８】
（インデックス画像出力）
図１は実施の形態におけるデジタルビデオカメラのインデックス画像出力部分に係わる構成を示すブロック図である。このデジタルビデオカメラ１０は、動画像の内容を一覧可能なインデックス画像を作成し、各インデックス画像に対応する付加情報を併せて出力する。
【００１９】
このデジタルビデオカメラ１０は、システム制御部（ＣＰＵ）４１、メカ駆動部４９、サーチ画生成回路４２、リサイズ処理部４４、エンコーダ４５、インタフェース部４３、ＳＤＲＡＭ４７および操作部４０を有する。メカ駆動部４９は磁気テープ（単にテープという）を再生する。サーチ画生成回路４２は、テープの再生データから高速サーチ専用画像情報であるサーチ画を生成する。サーチ画像データは、コンポーネント・ビデオ信号（Ｙ／Ｃｒ／Ｃｂ）形式で１４４０×１０８０ドットの高解像度を有する。
【００２０】
リサイズ処理部４４は、サーチ画をリサイズしてインデックス画像に作成する。エンコーダ４５は、作成されたインデックス画像をＪＰＥＧ画像にエンコードする。インタフェース部４３は、ＵＳＢインタフェースであり、作成されたＪＰＥＧ画像および後述する付加情報を外部に出力する。ＳＤＲＡＭ４７は、画像情報等を格納する。ＳＤＲＡＭ４７には、付加情報データ領域４６やインデックス画像作成領域４８が確保されている。付加情報データ領域４６には、各インデックス画像に付加される付加情報が格納される。操作部４０は、ユーザの指示を受け付け、ＣＰＵ４１に通知する。
【００２１】
一方、プリンタ５０は、デジタルビデオカメラ１０から出力される画像情報を印刷するものであり、インタフェース部４３を介して、デジタルビデオカメラ１０と接続されている。このプリンタ５０の構成および動作の詳細については、後述する。
【００２２】
このデジタルビデオカメラ１０では、メカ駆動部４９によって磁気テープが高速で巻き戻され、巻き戻し終了後、正方向に高速サーチされる。このときに読み出されたサーチ専用画像は、サーチ画生成回路４２に取り込まれる。ＣＰＵ４１は、取り込まれたサーチ画をインデックス画像に取り込むか否かを判別し、取り込む場合、ＳＤＲＡＭ４７内に一旦サーチ画を取り込む。取り込まれたサーチ画は、リサイズ処理部４４によってインデックス画像として取り込み可能なサイズに縮小される。そして、縮小された画像は、再びＳＤＲＡＭ４７内のインデックス画像作成領域４８に格納される。
【００２３】
一方、ＣＰＵ４１は、サーチ画を取り込むと判別した場合、サーチ画を読み取ったテープ位置を示すタイムコードデータ、および取り込んだサーチ画の番号を生成し、ＳＤＲＡＭ４７内の付加情報データ領域４６に挿入する。図２は付加情報データ領域４６に挿入された付加情報を示すテーブルである。この付加情報テーブルには、サーチ画の番号（インデックス番号）およびタイムコードが含まれている。尚、付加情報には、磁気テープから取り込まれるサーチ画のテープ位置であるアブソリュートトラックナンバが含まれるようにしてもよい。また、付加情報であることを表すＩＤ情報が含まれるようにしてもよい。また、インデックス画像が作成された磁気テープの識別情報が含まれるようにしてもよい。
【００２４】
こうして作成されたインデックス画像は、ＪＰＥＧエンコーダ４５でＪＰＥＧ画像情報に変換され、インタフェース部４３を介してＳＤＲＡＭ４７内の付加情報データ領域４６に格納されていた付加情報と共にプリンタ５０に出力される。
【００２５】
図３は付加情報付きインデックス画像を出力する処理手順を示すフローチャートである。この処理プログラムは、ＣＰＵ４１内のＲＯＭに格納されており、ＣＰＵ４１によって実行される。
【００２６】
操作部４０を介して、インデックス（Index）プリントの開始がユーザによって指示されると、まず、テープの巻き戻しを行う（ステップＳ１）。正方向への高速サーチを開始する（ステップＳ２）。高速サーチにおいて、テープが終了するか否かを判別し（ステップＳ３）、テープが終了しない場合、サーチ画の日付情報を取り込み、この日付情報の変化を確認する（ステップＳ４）。日付が同じである場合、ステップＳ４の処理を繰り返し、日付が異なると、インデックス画像を取り込むと同時にタイムコードも読み込む（ステップＳ５、Ｓ６）。
【００２７】
タイムコード、インデックス画像の番号等を含む付加情報を作成し（ステップＳ７）、この付加情報をＳＤＲＡＭ４７内の付加情報データ領域４６に記憶する（ステップＳ８）。この後、ステップＳ３に戻り、再び高速サーチ動作を行い、テープが終了するまでステップＳ４〜Ｓ８の処理を繰り返す。そして、ステップＳ３でテープが終了すると、インデックス画像をＪＰＥＧ画像に圧縮し（ステップＳ９）、付加情報データ領域４６に記憶された付加情報と共にプリンタ５０に出力する。この後、本処理を終了する。
【００２８】
（テープ頭だし再生）
図４はデジタルビデオカメラのテープ頭だし動作に係わる部分の構成を示すブロック図である。このデジタルビデオカメラは、ＩＣタグ付きの印刷用紙からＩＣタグ情報を読み込み、その情報を基にテープ頭だし動作を行うものである。
【００２９】
このデジタルビデオカメラ１０は、前述したＣＰＵ４１、メカ駆動部４９、ＳＤＲＡＭ４７、操作部４０の他、リーダ部５３、デコーダ部５２、ビットマップ画像情報生成回路５７およびＬＣＤ部５６を有する。リーダ部５３は、ＩＣタグ６５から、テープの頭だし再生を行うための信号を読み取る。デコーダ部５２は、読み取ったタグデータを解析する。ビットマップ画像情報生成回路（単に画像情報生成回路という）５７は、解析結果に応じた頭だし動作等の操作を、ユーザに選択させるための文字情報を生成する。ＬＣＤ部５６は、画像情報生成回路５７によって生成された文字情報やテープ再生画像を合成して出力する。
【００３０】
このデジタルビデオカメラ１０では、まず、リーダ部５３によって、インデックス画像が印刷された印刷用紙６１（図１０参照）に内蔵されたＩＣタグ６５からＩＣタグ情報を読み込む。読み込んだＩＣタグ情報を一旦ＳＤＲＡＭ４７に記憶した後、この情報をデコーダ部５２によってデコードする。このデータ（付加情報）には、テープ位置を示すタイムコードデータ、および取り込んだサーチ画の番号が含まれている（図２参照）。これらの情報が全て正常に読み込まれた場合、読み込みＯＫデータ、読み取ったタイムコード情報およびサーチ画の番号をＣＰＵ４１に送信する。
【００３１】
ＣＰＵ４１は、受け取ったサーチ画の番号から、頭だし再生を行うシーンをユーザに知らせるべく、画像情報生成回路５７を制御する。この際、画像情報生成回路５７は、頭だし開始を選択させるためのビットマップ画像を生成する。そして、生成したビットマップ画像情報をＳＤＲＡＭ４７内の出力画像情報生成領域５８の出力画像情報に重畳する。重畳した画像情報はＬＣＤ部５６に出力される。
【００３２】
図５はＬＣＤ部５６に表示されるインデックス画面を示す図である。このインデックス画面には、シーン１〜９のシーン再生位置選択およびシーン再生キャンセルが表示されている。ユーザは、操作部４０を介して、ＬＣＤ部５６に表示されたインデックス画面から所望のシーンを選択可能である。つまり、ＬＣＤ部５６には、頭だし再生を行うか否かをユーザに選択させるための画像が表示されている。
【００３３】
インデックス画面に表示された一連のシーンのうち、4番目のシーンを再生するというメッセージとして、４番目のシーンがマーカ４６ａによって指示されている。ユーザが頭だし再生を選択した場合、ＣＰＵ４１は、タイムコードの頭だしをメカ駆動部４９に行わせ、頭だし終了後、再生を開始する。
【００３４】
図６はインデックス画像が印刷された印刷用紙に内蔵されたＩＣタグからＩＣタグ情報を読み取って動画像を再生する際の再生処理手順を示すフローチャートである。この処理プログラムは、ＣＰＵ４１内のＲＯＭに格納されており、ＣＰＵ４１によって実行される。
【００３５】
操作部４０を介して、再生処理の開始がユーザによって指示されると、まずＩＣタグリーダ５３の電源をＯＮにする（ステップＳ２１）。ＩＣタグリーダ５３は、電源がＯＮになると、ＩＣタグ検出のための電波を出力し、ＩＣタグ６５の検出を行う（ステップＳ２２）。そして、ＩＣタグ６５を検出したか否かを判別する（ステップＳ２３）。
【００３６】
この結果、ＩＣタグ６５が近傍にあって、ＩＣタグ６５からの電波を検出すると、ＩＣタグ情報の読み取り処理を開始し（ステップＳ２５）、本処理を終了する。一方、ステップＳ２３で、ＩＣタグが近傍に無く、ＩＣタグを検出できなかった場合、所定時間待機し（ステップＳ２４）、ステップＳ２２に戻って、この検出処理を再開する。尚、デジタルビデオカメラでなく、再生専用装置の場合、装置本体の電源ＯＮによって図６の処理が自動的に開始するようにしてもよい。
【００３７】
図７はステップＳ２５におけるＩＣタグ情報の読み取り処理手順を示すフローチャートである。この処理では、インデックス画像が印刷された印刷用紙に内蔵されたＩＣタグからＩＣタグ情報を読み取り、その情報に応じてテープの頭だし動作を行う。
【００３８】
まず、リーダ（Reader）部５３によって、ＩＣタグデータを読み込む（ステップＳ３１）。取り込んだＩＣタグデータをデコードする（ステップＳ３２）。デコードの結果、正常に取り込まれたか否かを判別する（ステップＳ３３）。
【００３９】
ＩＣタグデータの取り込みが正常で無かった場合、ＩＣタグの再読み込みを請求する画面をＬＣＤ部５６に表示させる（ステップＳ３８）。そして、ユーザが再読み込みを選択したか否かを判別する（ステップＳ３９）。ユーザが再読み込みを選択した場合、ステップＳ３１に戻って、再びＩＣタグデータの読み込みを行う。一方、ステップＳ３７で再読み込みを行わないことを選択した場合、本処理を終了する。
【００４０】
また一方、ステップＳ３３で、デコード結果が正常であった場合、頭だし再生開始位置を、ユーザに選択させるためのインデックス画面（図５参照）をＬＣＤ部５６に表示させる（ステップＳ３４）。ユーザによって、頭だし再生開始が選択されたか否かを判別する（ステップＳ３５）。ユーザが頭だし再生開始位置を選択した場合、付加情報データ領域４６に記憶されているデータのうち、タイムコードに応じたテープ位置への頭だし動作および再生動作を行い（ステップＳ３６）、本処理を終了する。一方、頭だし再生開始位置が選択されなかった場合、そのまま本処理を終了する。
【００４１】
（インデックス画像情報の印刷）
図８はプリンタ５０の構成を示すブロック図である。このプリンタは、インデックス画像情報を印刷する際、印刷用紙に内蔵されたＩＣタグに付加情報を書き込む。
【００４２】
このプリンタ５０は、ＣＰＵ９１、ＪＰＥＧデコーダ９５、ＵＳＢインタフェース部９６、ＳＤＲＡＭ９７、プリントアウト回路９２、ＩＣタグ記録情報生成回路９４およびＩＣタグ書き込み回路９８を有する。ＳＤＲＡＭ９７には、画像情報等が格納される。プリントアウト回路９２は、取り込んだ画像情報を印刷（プリントアウト）する。ＩＣタグ記録情報生成回路９４は、ＩＣタグ６５に記録されるデータを生成する。ＩＣタグ書き込み回路９８は、ＩＣタグ６５に実際にデータを書き込む。このＩＣタグ書き込み回路９８は、例えばプリンタ本体の排出口近傍に設置され、排出されるインデックス画像印刷済みの用紙に内蔵されたＩＣタグ６５に付加情報（データ）を書き込む。
【００４３】
このような構成を有するプリンタ５０において、ＣＰＵ９１は、ビデオカメラ１０に接続されているＵＳＢインタフェース部９６を介して、インデックス画像情報を受信する。インデックス画像情報に付加情報が存在することを確認すると、ＣＰＵ９１は、ＩＣタグ記録情報生成回路９４に受け取った付加情報のデータを渡す。
【００４４】
一方、受け取ったインデックス画像情報は、ＪＰＥＧデコーダ部９５によって解凍され、ＳＤＲＡＭ９７に格納される。そして、ＳＤＲＡＭ９７に展開された画像情報は、プリントアウト回路９２によって用紙に印刷される。インデックス画像情報が印刷された用紙は、順次ＩＣタグ書き込み回路９８が設置された排出口に送り出される。
【００４５】
一方、ＩＣタグ記録情報生成回路９４は、印刷用紙６１が送り込まれるタイミングに合わせて、ＩＣタグ書き込み回路９８に付加情報（データ）を送信する。ＩＣタグ書き込み回路９８は、受け取ったデータをＩＣタグ６５に書き込む。
【００４６】
図９はＩＣタグへの書き込み処理手順を示すフローチャートである。この処理プログラムは、ＣＰＵ９１内のＲＯＭに書き込まれており、ＣＰＵ９１によって実行される。プリンタ５０は、付加情報付きインデックス画像情報を受け取ると、インデックス画像を印刷用紙に印刷するとともに、印刷用紙に内蔵されているＩＣタグに付加情報を書き込む。
【００４７】
この処理は、インデックス画像を受信することによって開始し、まず、インデックス画像に付加情報が存在するか否かを判別する（ステップＳ５１）。付加情報が存在する場合、付加情報をコード化して記憶する（ステップＳ５２）。そして、ＪＰＥＧ画像情報をデコード（Decode）し（ステップＳ５３）、ＳＤＲＡＭ９７にＪＰＥＧ画像情報を取り込む（ステップＳ５４）。さらに、ＩＣタグ書き込み回路（ＩＣタグライタ）９８に記録情報（付加情報）をセットする（ステップＳ５５）。そして、プリンタ回路９２にＪＰＥＧ画像情報を出力し、印刷用紙にインデックス画像（サーチ画の番号を含む）を印刷する（ステップＳ５６）。図１０はインデックス画像が印刷された印刷用紙を示す図である。印刷用紙６１には、１０枚のインデックス画像が印刷されており、各インデックス画像には、それぞれのシーンに対応するシーン１〜９の番号が付されている。さらに、ＩＣタグライタ９８により、印刷用紙６１の右片隅に内蔵されたＩＣタグ６５に付加情報を記録し（ステップＳ５７）、本処理を終了する。
【００４８】
一方、ステップＳ５１で付加情報が無い場合、ＪＰＥＧ画像情報をデコード（Decode）し（ステップＳ５８）、ＳＤＲＡＭ９７に取り込む（ステップＳ５９）。ＩＣタグ書き込み回路９８への記録情報をクリアする（ステップＳ６０）。そして、プリントアウト回路９２にＪＰＥＧ画像情報を出力し、印刷用紙にインデックス画像を印刷する（ステップＳ５６）。そして、ステップＳ５７ではＩＣタグへの情報の記録を行うことなく、本処理を終了する。
【００４９】
このように、本実施形態の動画像再生システムでは、サーチ画像からインデックス画像を作成し、ダイレクトプリントを行う。このとき、インデックス画像に対応したテープ位置情報（タイムコード）を含む付加情報を、インデックス画像印刷済み用紙に内蔵されたタグＩＣに記録する。テープ再生時には、そのテープ位置情報を読み込むことで、対応するインデックス画像に代表されるシーン位置への迅速な頭だし動作を可能とする。さらに、ＩＣタグを用いることで、読み取り機器の簡略化や情報の読み取りの確実性を向上できる。
【００５０】
尚、本発明は、上記実施形態の構成に限られるものではなく、特許請求の範囲で示した機能、または本実施形態の構成が持つ機能が達成できる構成であればどのようなものであっても適用可能である。
【００５１】
例えば、上記実施形態では、デジタルビデオカメラとプリンタとは、別体に構成されていたが、プリンタ付きビデオカメラのように、動画像再生装置と印刷装置とが一体に構成されたものでもよい。動画像再生装置としては、可搬型のデジタルビデオカメラに限らず、据置型のＶＴＲであってもよい。
【００５２】
また、デジタルビデオカメラは、インデックス画像および付加情報をプリンタに出力する機能、およびＩＣタグから付加情報を読み取って磁気テープの頭だし再生を行う機能の両方を有していた。これらの機能は、インデックス画像生成装置および再生装置として、別々の装置に搭載されてもよい。
【００５３】
また、インデックス画像が印刷される被印刷物は、シートに限らず、ブロックであってもよい。また、ＩＣタグ付きシートの材料（シート材）としては、紙、合成樹脂、金属等、シート状に加工可能なものであればよい。また、ＩＣタグとして、電波を用いたものの他、静電気、電磁誘導、赤外線などの光を利用したものでもよい。また、ＩＣタグは、シート材の生成時にその内部に埋め込むことによりあるいは接着等によりシート材と一体化される。また、ＩＣタグは、シートの表面に配置されていてもよいし、本実施形態のように、内部に埋め込まれて隠蔽されてもよい。
【００５４】
また、上記実施形態では、シートに内蔵されたＩＣタグに付加情報を記憶していたが、ＩＣタグの代わりに、インデックス画像とともに用紙に印刷される２次元バーコードに付加情報を記録するようにしてもよい。この場合、再生時、２次元バーコードリーダを用いて、付加情報を読み取ることになる。
【００５５】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００５６】
この場合、記憶媒体から読み出されたプログラムコード自体が前述した各実施の形態の機能を実現することになり、そのプログラムコード及び該プログラムコードを記憶した記憶媒体は本発明を構成することになる。
【００５７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５８】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００６０】
【図１】実施の形態におけるデジタルビデオカメラのインデックス画像出力部分に係わる構成を示すブロック図である。
【図２】付加情報データ領域４６に挿入された付加情報を示すテーブルである。
【図３】付加情報付きインデックス画像を出力する処理手順を示すフローチャートである。
【図４】デジタルビデオカメラのテープ頭だし動作に係わる部分の構成を示すブロック図である。
【図５】ＬＣＤ部５６に表示されるインデックス画面を示す図である。
【図６】インデックス画像が印刷された印刷用紙に内蔵されたＩＣタグからＩＣタグ情報を読み取って動画像を再生する際の再生処理手順を示すフローチャートである。
【図７】ステップＳ２５におけるＩＣタグ情報の読み取り処理手順を示すフローチャートである。
【図８】プリンタ５０の構成を示すブロック図である。
【図９】ＩＣタグへの書き込み処理手順を示すフローチャートである。
【図１０】インデックス画像が印刷された印刷用紙を示す図である。
【図１１】サーチ画像データのトラック上の配置を示す図である。
【符号の説明】
【００６１】
１０  デジタルビデオカメラ
４１  ＣＰＵ
４２  サーチ画生成回路
４７  ＳＤＲＡＭ
５０  プリンタ
５３  リーダ
６５  ＩＣタグ
９８  ＩＣタグ書き込み回路
【図１】
2007129348.tif 000003
【図２】
2007129348.tif 000004
【図３】
2007129348.tif 000005
【図４】
2007129348.tif 000006
【図５】
2007129348.tif 000007
【図６】
2007129348.tif 000008
【図７】
2007129348.tif 000009
【図８】
2007129348.tif 000010
【図９】
2007129348.tif 000011
【図１０】
2007129348.tif 000012
【図１１】
2007129348.tif 000013